(57)【要約】【課題】構造が簡単であり、小型の各種機器に使用することが可能であると共に、各種機器のシャーシ等の対象物に簡単に取付けることが可能な長尺体保持具を提供することを目的とする。【解決手段】保持された配線２００の長手方向に対し略垂直な断面が略Ｃ字状を有し、この略Ｃ字状を確定する端部１２Ａ及び１２Ｂが互いに離れる方向に弾性変形することでシャーシ１００に形成された係合穴１０１Ａ及び１０１Ｂに各々挿入可能であると共に、係合穴１０１Ａ及び１０１Ｂに挿入された際に弾性復元してシャーシ１００に係合し、端部１２Ａ及び１２Ｂがシャーシ１００に係合した際に、係合穴１０１Ａ及び１０１Ｂを閉鎖する閉鎖部１６Ａ及び１６Ｂを備えてなる長尺体保持具１である。【選択図】図１
2009133355.tif 000002
【特許請求の範囲】
【請求項１】
対象物に着脱可能に取付けられ、当該対象物に取付けられた際に、当該対象物の第１の面との間に形成される空間に長尺体を保持する長尺体保持具であって、
前記保持された長尺体の長手方向に対し略垂直な断面が略Ｃ字状を有し、当該略Ｃ字状を確定する両端部が互いに離れる方向に弾性変形することで、前記対象物に形成された係合穴に各々挿入可能であると共に、当該係合穴に挿入された際に弾性復元して前記対象物に係合し、
前記両端部が前記対象物に係合した際に、前記各々の係合穴を閉鎖する閉鎖部を備えてなる長尺体保持具。
【請求項２】
前記両端部は、前記各々の係合穴に挿入された際に、前記対象物の第１の面とは反対側に位置する第２の面に係合すると共に、互いに近づく方向に延出してなる係合爪を各々有し、
前記閉鎖部は、前記各々の係合爪が前記第２の面と係合した際に、前記第１の面に対向配置され、前記係合穴に挿入された両端部と、当該係合穴を確定する対象物の壁面とが形成する隙間を各々閉鎖する請求項１記載の長尺体保持具。
【請求項３】
前記両端部が前記対象物に係合した際に、前記係合爪と前記閉鎖部とにより、前記対象物を挟持する請求項２記載の長尺体保持具。
【請求項４】
前記略Ｃ字状を確定する内側空間に、前記両端部を互いに離れる方向に押圧可能な治具を挿入可能であり、当該治具を前記内部空間に挿入した際に、当該治具の一端側から他端側に移動することで、前記治具の押圧力により当該両端部が互いに離れる方向に弾性変形され、前記係合穴に挿入される請求項１ないし請求項３のいずれか一項に記載の長尺体保持具。
【請求項５】
対象物に着脱可能に取付けられ、当該対象物に取付けられた際に、当該対象物の第１の面との間に形成される空間に長尺体を保持する長尺体保持具であって、
前記保持された長尺体の長手方向に対し略垂直な断面が略Ｃ字状を有し、当該略Ｃ字状を確定する両端部が互いに近づく方向に弾性変形することで、前記対象物に形成された係合穴に各々挿入可能であると共に、当該係合穴に挿入された際に弾性復元して前記対象物に係合し、
前記両端部が前記対象物に係合した際に、当該対象物に取付けられ且つ前記各々の係合穴を閉鎖する長尺体保持具。
【請求項６】
前記両端部は、前記各々の係合穴に挿入された際に、前記対象物の第１の面とは反対側に位置する第２の面に係合すると共に、互いに離れる方向に延出してなる係合爪を各々有し、
前記各々の係合爪は、前記第２の面と各々係合した際に、前記係合穴に挿入された両端部と、当該係合穴を確定する対象物の壁面とが形成する隙間を各々閉鎖する請求項５記載の長尺体保持具。
【請求項７】
前記両端部を互いに近づく方向に押圧可能な治具で外側から挟持可能であり、当該治具で挟持された際に、当該治具の一端側から他端側に移動することで、前記治具の押圧力により当該両端部が互いに近づく方向に弾性変形され、前記係合穴に挿入される請求項５または請求項６記載の長尺体保持具。
【請求項８】
前記治具は、前記両端部を外側から各々挟持する挟持部と、前記略Ｃ字状を確定する内側空間に挿入され、前記両端部が前記対象物に係合した際に、前記第１の表面に対向する内壁を支持する支持部と、を備えてなり、
前記治具で挟持された際に、前記内壁が前記支持部に支持される請求項７記載の長尺体保持具。
【請求項９】
前記治具の一端側から他端側に向けて延設されたガイド部に案内され、当該ガイド部に沿って移動可能な被ガイド部をさらに備えた請求項１ないし請求項８のいずれか一項に記載の長尺体保持具。
【請求項１０】
前記治具の一端側から他端側に向けて延設されたガイド部に案内され、当該ガイド部に沿って移動可能な被ガイド部をさらに備え、当該被ガイド部は、前記両端部が前記対象物に係合した際に、当該対象物の第１の面と対向する内壁に形成されてなる請求項１、請求項２、請求項３、請求項４、請求項８のいずれか一項に記載の長尺体保持具。
【発明の詳細な説明】
【技術分野】
【０００１】
本発明は、例えば、各種機器類等、特に、小型の電気・電子機器類等に電線や長尺な部品等を取付けて保持するために用いる長尺体保持具に関する。
【背景技術】
【０００２】
従来から、様々な機器類、特に電気・電子機器類の内部には、様々な部品や電線等の長尺体が多数配されている。これらの長尺体は、電気機器類の通常動作の際に、他の部品に当たり擦れて傷ついたり、外れたりすることを防止する必要がある。そこで、これらの長尺体を整理して束ね、電気機器類の筐体の内壁や基板等の対象物に留め付けるための保持具が各種紹介されている。
【０００３】
このような保持具として、例えば、基台（合成樹脂製取付板）の上面に、電線等を挟持する可撓性押え板を形成し、この基台の裏面に、保持具が取付けられる板材（対象物）に形成された取付穴に挿入されて当該板材に係合する略やじり状の弾拡ピンを突出形成した配線類のクリップ（保持具）が紹介されている。（例えば、特許文献１参照）。
【０００４】
また、基台に揺動可能に取付けられた押え板の先端と、前記基台とを着脱可能に固定するロック機構を有し、前記基台と押え板との間に電線を保持可能であり、当該基台の下面に、保持具が取付けられる板材（対象物）に形成された取付穴に挿入されて、当該板材に係合する略やじり状の弾拡ピンを突出形成した電線クランプ（保持具）も紹介されている。（例えば、特許文献２参照）。
【０００５】
前述した従来の保持具は、前記板材（対象物）に取付けられた際に、略やじり状の弾拡ピンが当該板材の裏面に突出するため、当該板材が各種機器のハウジング内に配設されている場合は、ハウジングの内壁面と板材の裏面との間に、前記弾拡ピンを位置させるためのスペースを確保する必要があり、ハウジングの小型化に支障を来す虞がある。特に、前記機器が、例えば、デジタルカメラ、携帯電話、ハンディータイプの小型ゲーム機や録画再生装置等のような小型装置の場合、前記従来の保持具を採用することは困難である。
【０００６】
そこで、近年では、前記保持具の基台に弾拡ピンを突出形成する代わりに、基台の裏面に両面テープを貼着し、この両面テープを介して保持具を板材に固定することで、ハウジング内の無駄なスペースを無くし、小型化を達成する方法も採用されている。
【特許文献１】実開昭５５−８４３６９号公報
【特許文献２】実公平５−４２９７号公報
【発明の開示】
【発明が解決しようとする課題】
【０００７】
しかしながら、前記両面テープ等の接着材を介して保持具を対象物に貼着した場合、前記機器の使用条件や、接着材の経時変化等によって、接着材の接着力が低下し、対象物から保持具が外れたり、落下する虞がある。
【０００８】
本発明は、このような事情に鑑みなされたものであり、構造が簡単であり、小型の各種機器に使用することが可能であると共に、各種機器のシャーシ等の対象物に簡単に取付けることが可能な長尺体保持具を提供することを目的とする。
【課題を解決するための手段】
【０００９】
この目的を達成するため本発明は、対象物に着脱可能に取付けられ、当該対象物に取付けられた際に、該対象物の第１の面との間に形成される空間に長尺体を保持する長尺体保持具であって、前記保持された長尺体の長手方向に対し略垂直な断面が略Ｃ字状を有し、当該略Ｃ字状を確定する両端部は、互いに離れる方向に弾性変形することで、前記対象物に形成された係合穴に各々挿入可能であると共に、当該係合穴に挿入された際に弾性復元して前記対象物に係合し、前記両端部が前記対象物に係合した際に、前記各々の係合穴を閉鎖する閉鎖部を備えてなる長尺体保持具を提供するものである。
【００１０】
この構成を備えた長尺体保持具は、略Ｃ字状を確定する両端部が対象物に係合する、すなわち、２カ所で対象物に係合して該対象物に取付けられるため、１カ所で対象物に係合する保持具に比較して、前記係合部分を小さくしても、前記対象物に確実に取付けることができる。したがって、前記両端部が前記対象物に係合した際に、当該両端部が対象物の裏面に突出する部分を小さくする（突出量が小さい）ことができる。また、構造が簡単であるため、長尺体を保持する部分を必要最低限の大きさにすることもできる。このため、小型化を達成することができ、省スペース化を実現することができる。
【００１１】
さらに、本発明にかかる長尺体保持具は、前記両端部が前記対象物に係合した際に、当該対象物に形成されている各々の係合穴を閉鎖する閉鎖部を備えているため、当該係合穴を介して、対象物の第１の面から、この第１の面とは反対側に位置する第２の面に、あるいは当該第２の面から前記第１の面に、埃等が侵入することを防止することができるのは勿論のこと、光が漏れることも防止することができる。したがって、長尺体保持具が配設される機器の内部と外部を遮光することが必要である各種光学機器等にも好適に使用することができる。
【００１２】
なお、本発明でいう「略Ｃ字状」とは、長尺体保持具に保持された長尺体の長手方向に対し略垂直な断面（すなわち、前記長手方向から見た正面）形状が、一方が開放され、この一方とは反対側が閉鎖された形状を示しており、例えば、略コ字状、略Ｕ字状等も含まれるものとする。
【００１３】
また、本発明にかかる長尺体保持具は、前記両端部が前記各々の係合穴に挿入された際に、前記対象物の第１の面とは反対側に位置する第２の面に係合すると共に、互いに近づく方向に延出してなる係合爪を各々有し、前記閉鎖部は、前記各々の係合爪が前記第２の面と係合した際に、前記第１の面に対向配置され、前記係合穴に挿入された両端部と、当該係合穴を確定する対象物の壁面とが形成する隙間を各々閉鎖するよう構成することができる。
【００１４】
この構成の場合、前記両端部が前記対象物に係合した際に、前記係合爪と前記閉鎖部とにより、前記対象物を挟持することもできる。このようにすることで、長尺体保持具を対象物に、さらに確実に取付けることができる。
【００１５】
そしてまた、本発明にかかる長尺体保持具は、前記略Ｃ字状を確定する内側空間に、前記両端部を互いに離れる方向に押圧可能な治具を挿入可能であり、当該治具を前記内部空間に挿入した際に、当該治具の一端側から他端側に移動することで、前記治具の押圧力により当該両端部が互いに離れる方向に弾性変形され、前記係合穴に挿入されるよう構成することもできる。このように構成することで、前記利点に加え、治具を使用して、長尺体保持具を対象物に取付けることができるため、素手で取り扱うことが困難である小型の長尺体保持具であっても、対象物に簡単に取付けることができる。
【００１６】
また、本発明は、対象物に着脱可能に取付けられ、当該対象物に取付けられた際に、該対象物の第１の面との間に形成される空間に長尺体を保持する長尺体保持具であって、前記保持された長尺体の長手方向に対し略垂直な断面が略Ｃ字状を有し、当該略Ｃ字状を確定する両端部は、互いに近づく方向に弾性変形することで、前記対象物に形成された係合穴に各々挿入可能であると共に、当該係合穴に挿入された際に弾性復元して前記対象物に係合し、前記両端部が前記対象物に係合した際に、当該対象物に取付けられ且つ前記各々の係合穴を閉鎖する長尺体保持具を提供するものである。
【００１７】
この構成を備えた長尺体保持具は、略Ｃ字状を確定する両端部が対象物に係合することで該対象物に取付けられるため、１カ所で対象物に係合する保持具に比較して、前記係合部分を小さくしても、前記対象物に確実に取付けることができる。さらに、前記両端部が前記対象物に係合した際に、前記各々の係合穴を閉鎖するため、当該係合穴を介して、対象物の第１の面から、この第１の面とは反対側に位置する第２の面に、あるいは当該第２の面から前記第１の面に、埃等が侵入することを防止することができるのは勿論のこと、光が漏れることも防止することができる。したがって、小型化を達成することができると共に、長尺体保持具が配設される機器の内部と外部を遮光することが必要である各種光学機器等にも好適に使用することができる。
【００１８】
また、この構成を備えた長尺体保持具は、前記両端部が前記各々の係合穴に挿入された際に、前記対象物の第１の面とは反対側に位置する第２の面に係合すると共に、互いに離れる方向に延出してなる係合爪を各々有し、前記各々の係合爪は、前記第２の面と各々係合した際に、前記係合穴に挿入された両端部と、当該係合穴を確定する対象物の壁面とが形成する隙間を各々閉鎖するよう構成することができる。この構成の場合、係合爪が、前記隙間を各々閉鎖する役割も果たすため、さらに形状を簡略化することができ、小型化を一層向上することができる。
【００１９】
そしてまた、本発明にかかる長尺体保持具は、前記両端部を互いに近づく方向に押圧可能な治具で外側から挟持可能であり、当該治具で挟持された際に、当該治具の一端側から他端側に移動することで、前記治具の押圧力により当該両端部が互いに近づく方向に弾性変形され、前記係合穴に挿入されるよう構成することもできる。このように構成することで、前記利点に加え、治具を使用して、長尺体保持具を対象物に取付けることができるため、素手で取り扱うことが困難である小型の長尺体保持具であっても、対象物に簡単に取付けることができる。
【００２０】
また、この構成の場合、前記治具は、前記両端部を外側から各々挟持する挟持部と、前記略Ｃ字状を確定する内側空間に挿入され、前記両端部が前記対象物に係合した際に、前記第１の表面に対向する内壁を支持する支持部と、を備えてなり、前記治具で挟持された際に、前記内壁が前記支持部に支持されるよう構成してもよい。
【００２１】
さらにまた、本発明にかかる長尺体保持具は、前記治具の一端側から他端側に向けて延設されたガイド部に案内され、当該ガイド部に沿って移動可能な被ガイド部をさらに備えることができる。このように構成することで、前記利点に加え、治具を使用して、長尺体保持具を対象物に取付ける際に、長尺体保持具が所定の位置からずれることがなく、作業効率をさらに向上することができる。
【００２２】
また、前記被ガイド部は、前記両端部が前記対象物に係合した際に、当該対象物の第１の面と対向する内壁に形成することもできる。
【発明の効果】
【００２３】
本発明にかかる長尺体保持具は、略Ｃ字状を確定する両端部が対象物に係合することで該対象物に取付けられるため、１カ所で対象物に係合する保持具に比較して、前記係合部分を小さくしても、前記対象物に確実に取付けることができる。また、前記両端部が前記対象物に係合した際に、当該対象物に形成されている各々の係合穴を閉鎖することができる。この結果、構成を簡略化し且つ小型化を達成することができると共に、配設される機器内に埃等が侵入することを防止することができるのは勿論のこと、機器の内部と外部を遮光することが必要である各種光学機器等にも好適に使用することができる。
【発明を実施するための最良の形態】
【００２４】
次に、本発明の好適な実施の形態にかかる長尺体保持具について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００２５】
（実施の形態１）
図１は、本発明の実施の形態１にかかる長尺体保持具の斜視図、図２は、図１に示す長尺体保持具の正面図であって、長尺体保持具が弾性変形していない状態（初期状態）を示す図、図３は、図１に示す長尺体保持具の平面図、図４は、図１に示す長尺体保持具の底面図、図５は、図１に示す長尺体保持具の側面図、図６は、図１に示す長尺体保持具の正面図であって、長尺体保持具が弾性変形した状態を示す図、図７は、治具に図１に示す長尺体保持具を装着した状態を示す斜視図、図８は、図７に示すVIII−VIII線に沿った断面図、図９は、図１に示す長尺体保持具が治具の先端に移動した状態を示す断面図、図１０は、治具を用いて、図１に示す長尺体保持具をシャーシに取付ける状態を示す断面図、図１１は、図１に示す長尺体保持具に配線を保持させてシャーシに取付けた状態を示す断面図である。
【００２６】
なお、前記各図では、説明を判り易くするため、各部材の厚さやサイズ、拡大・縮小率等は、実際のものとは一致させずに記載した。また、シャーシは、配線（長尺体）が配設される側を「上面」（第１の面）、上面とは反対側の面を「裏面」（第２の面）として説明する。
【００２７】
図１１に示すように、実施の形態１にかかる長尺体保持具１は、例えば、機器類のシャーシ１００に着脱可能に取付けられ、シャーシ１００に取付けられた際に、シャーシ１００の上面１０２との間に形成される空間１０３に配線２００を保持するものである。
【００２８】
この長尺体保持具１は、図１〜図１１に示すように、正面視で略Ｃ字状を有する保持具本体１１を備えている。この保持具本体１１は、略Ｃ字状を確定する端部１２Ａ及び１２Ｂと、端部１２Ａ及び１２Ｂに連続して形成され且つ端部１２Ａと端部１２Ｂとの間に位置し、端部１２Ａ及び１２Ｂと共に略Ｃ字状を確定する中央部１３を備えている。また、長尺体保持具１は、外部から所定の力が加えられることにより、端部１２Ａ及び１２Ｂが初期状態（図２参照）から互いに離れる方向に弾性変形可能（図６参照）であり、これによって中央部１３も弾性変形する。そしてまた、長尺体保持具１は、前記外部からの力から解放された際に弾性復元して初期状態に戻る。
【００２９】
端部１２Ａ及び１２Ｂは、内側に湾曲した形状を有しており、各々の先端には、互いに近づく方向に延出した係合爪１４Ａ及び１４Ｂが各々形成されている。これらの端部１２Ａ及び１２Ｂは、互いに離れる方向に弾性変形することで、シャーシ１００に形成された係合穴１０１Ａ及び１０１Ｂに各々挿入され（図１０参照）、係合穴１０１Ａ及び１０１Ｂに挿入された際に弾性復元して、係合爪１４Ａ及び１４Ｂがシャーシ１００の裏面１０５に係合する（図１１参照）ことで、長尺体保持具１がシャーシ１００に取付けられる。
【００３０】
中央部１３の内壁の略中央位置には、長尺体保持具１に保持された配線２００の長手方向に延びる凸部１０７が形成されている。この凸部１０７は、後に詳述する治具３００に形成された凹部３０７（図７参照）に沿って移動可能に案内される被ガイド部の役割を果たしている。この中央部１３は、前述したように、長尺体保持具１がシャーシ１００に取付けられた際に、シャーシ１００の上面１０２との間に所定の大きさの空間１０３を確定し、この空間１０３内に配線２００を保持するようになっている。
【００３１】
さらに、保持具本体１１には、長尺体保持具１がシャーシ１００に取付けられた際に、シャーシ１００の上面１０２側から係合穴１０１Ａ及び１０１Ｂを各々閉鎖可能であると共に、上面１０２を押圧可能な位置に、閉鎖部１６Ａ及び１６Ｂが突出形成されている。これらの閉鎖部１６Ａ及び１６Ｂは、初期状態（図２参照）では、各々の先端が中央部１３から離れるように、図２でいう斜め下方に（すなわち、長尺体保持具１をシャーシ１００に取付ける際に、閉鎖部１６Ａ及び１６Ｂの先端が基端よりも、シャーシ１００の上面１０２に近づくように斜めに）突出している。また、閉鎖部１６Ａ及び１６Ｂは、斜めに配設された状態から略水平な状態となるように弾性変形可能となっている。したがって、長尺体保持具１がシャーシ１００に取付けられた際には、閉鎖部１６Ａ及び１６Ｂの弾性復元力によって、閉鎖部１６Ａ及び１６Ｂがシャーシ１００の上面１０２を押圧すると共に、係合爪１４Ａ及び１４Ｂがシャーシ１００の裏面１０５に係合するため、閉鎖部１６Ａ及び１６Ｂと、係合爪１４Ａ及び１４Ｂとでシャーシ１００を挟持することになる。このため、シャーシ１００の裏面１０５側に突出する係合爪１４Ａ及び１４Ｂが小型で簡素な形状を有しており、シャーシ１００の裏面１０５から突出する部分が小さくても（シャーシ１００の裏面１０５から突出量が少なくても）長尺体保持具１をシャーシ１００に確実に固定することができる。したがって、例えば、シャーシ１００が、各種機器のハウジング内に配設されている場合は、ハウジングの内壁面とシャーシ１００の裏面１０５との間に、係合爪１４Ａ及び１４Ｂが位置するためのスペースを小さくすることができ、各種機器の小型化に貢献することができる。
【００３２】
さらにまた、閉鎖部１６Ａ及び１６Ｂは、長尺体保持具１がシャーシ１００に取付けられた際に、係合穴１０１Ａ及び１０１Ｂに各々挿入された端部１２Ａ及び１２Ｂと、係合穴１０１Ａ及び１０１Ｂを確定するシャーシ１００の壁面１０８Ａ及び１０８Ｂとが形成する隙間を閉鎖することができるため、係合穴１０１Ａ及び１０１Ｂから埃等が侵入することを防止できることは勿論のこと、光が漏れることも防止することができる。
【００３３】
なお、この長尺体保持具１が非常に小型であっても、図７に示すような治具３００を用いて、長尺体保持具１をシャーシ１００に取付けることができるため、取付作業を簡単に行うことができる。この治具３００は、図７及び図８に示すように、長尺体保持具１が初期状態の際に、長尺体保持具１の内側に形成された空間に挿入され、長尺体保持具１が初期状態のまま前記挿入方向に移動可能な第１の誘導部３０１と、図９に示すように、第１の誘導部３０１の一端に形成され且つ先端にいくにしたがって、長尺体保持具１の端部１２Ａ及び１２Ｂを互いに離れる方向に弾性変形させるように、第１の誘導部３０１の断面形状に対し、長尺体保持具１の両端部１２Ａ及び１２Ｂと接触する部分間の距離が長くなるように形成された第２の誘導部３０２を備えている。
【００３４】
また、図７〜図１０に示すように、この治具３００の内側には、凹部３０３が長手方向に沿って形成されている。この凹部３０３は、特に図１０に示すように、長尺体保持具１をシャーシ１００に取付ける際に、長尺体保持具１に保持されるべき配線２００を収容するためのものであり、後に詳述するが、この凹部３０３に配線を収容した状態で長尺体保持具１をシャーシ１００に取付けることで、シャーシ１００の上面１０２と中央部１３との間に形成される空間１０３に、配線２００を簡単に保持させることができる。
【００３５】
さらにまた、治具３００が長尺体保持具１の内側に形成された空間に挿入された際に、凸部１０７と対向する治具３００の面には、凸部１０７を移動可能に収容する凹部３０７が、第１の誘導部３０１及び第２の誘導部３０２に亘って長手方向に沿って形成されている。この凹部３０７は、長尺体保持具１が治具３００の長手方向に沿って移動する際に、長尺体保持具１が回転したり、所定の位置からずれたりすることを防止し、長尺体保持具１が適切な状態で移動することをガイドする役割を果たしている。
【００３６】
この治具３００を用いて長尺体保持具１をシャーシ１００に取付けるには、先ず、長尺体保持具１の内側に形成された空間に、第１の誘導部３０１の先端を挿入し、長尺体保持具１を第２の誘導部３０２に向けて移動させる。（図７及び図８参照）。この時、長尺体保持具１の凸部１０７が凹部３０７に受容され、凹部３０７にガイドされた状態で長尺体保持具１が移動するため、長尺体保持具１が非常に小型であっても、長尺体保持具１を簡単に第２の誘導部３０２まで移動させることができる。
【００３７】
次に、第２の誘導部３０２に到達した長尺体保持具１を第２の誘導部３０２の先端まで移動させるが、この時、第２の誘導部３０２は、前述したように、先端にいくにしたがって長尺体保持具１の端部１２Ａ及び１２Ｂを互いに離れる方向に弾性変形させる（図９参照）ため、端部１２Ａ及び１２Ｂの先端は、初期状態よりも外側に押し拡げられ、シャーシ１００に形成された係合穴１０１Ａ及び１０１Ｂ上に位置することになる。（図１０参照）。また、この時、治具３００の凹部３０３と、シャーシ１００の上面１０２とにより確定される空間（すなわち、凹部３０３内）に、長尺体保持具１に保持されるべき配線２００を位置させる。
【００３８】
次に、この状態で、長尺体保持具１の内側に形成された空間から治具３００を抜脱しながら、長尺体保持具１をシャーシ１００の上面１０２に押圧すると、長尺体保持具１の端部１２Ａ及び１２Ｂが、係合穴１０１Ａ及び１０１Ｂに各々簡単に挿入され、その後、弾性復元し、端部１２Ａ及び１２Ｂに各々形成されている係合爪１４Ａ及び１４Ｂが、シャーシ１００の裏面１０５に係合すると共に、配線２００が、シャーシ１００の上面１０２との間に形成される空間１０３に保持される。（図１１参照）。また、この時、長尺体保持具１の閉鎖部１６Ａ及び１６Ｂが、シャーシ１００の上面１０２側から係合穴１０１Ａ及び１０１Ｂを塞ぐと共に、上面１０２を押圧する。このため、長尺体保持具１は、係合爪１４Ａ及び１４Ｂと、閉鎖部１６Ａ及び１６Ｂとによりシャーシ１００を両側から挟持することで、シャーシ１００に確実に固定される。
【００３９】
なお、実施の形態１では、端部１２Ａ及び１２Ｂを内側に湾曲した形状とした場合について説明したが、これに限らず、端部１２Ａ及び１２Ｂは、例えば、図１２〜図１４に示すように、中央部１３からほぼ直線的に延出し、その先端に略９０度で内側に屈曲した（すなわち、互いに近づく方向に屈曲した）鉤状の係合爪１４Ａ及び１４Ｂを形成した形状としてもよい。この形状の場合、図１４に示すように、係合爪１４Ａ及び１４Ｂは、面でシャーシ１００の裏面１０５に当接するため、長尺体保持具１をさらに確実にシャーシ１００に固定することができる。したがって、閉鎖部１６Ａ及び１６Ｂは、シャーシ１００の上面１０２に対し略水平となるように形成しても、長尺体保持具１は、係合爪１４Ａ及び１４Ｂと、閉鎖部１６Ａ及び１６Ｂとによりシャーシ１００を両側から挟持され、シャーシ１００に確実に固定されることになる。
【００４０】
（実施の形態２）
次に、本発明にかかる実施の形態２について図面を参照して説明する。図１５は、本発明の実施の形態２にかかる長尺体保持具の正面図、図１６は、図１５に示す長尺体保持具と、この長尺体保持具が取付けられるシャーシとの関係を示す断面図、図１７は、治具を用いて、図１５に示す長尺体保持具をシャーシに取付ける状態を示す断面図、図１８は、図１５に示す長尺体保持具に配線を保持させてシャーシに取付けた状態を示す断面図である。
【００４１】
なお、前記各図では、説明を判り易くするため、各部材の厚さやサイズ、拡大・縮小率等は、実際のものとは一致させずに記載した。また、実施の形態２では、実施の形態１で説明した部材と同様の部材には同一の符号を付し、その詳細な説明は省略する。
【００４２】
図１５〜図１８に示すように、実施の形態２にかかる長尺体保持具２の、実施の形態１にかかる長尺体保持具１と異なる主な点は、保持具本体２１の端部２２Ａ及び２２Ｂが互いに近づく方向に弾性変形することで、シャーシ１００に形成された係合穴１０１Ａ及び１０１Ｂに各々挿入可能である点と、端部２２Ａ及び２２Ｂの先端に形成された係合爪２４Ａ及び２４Ｂが互いに離れる方向に延出している点と、係合爪２４Ａ及び２４Ｂが閉鎖部１６Ａ及び１６Ｂの役割も果たしていることである。
【００４３】
すなわち、実施の形態２にかかる長尺体保持具２は、正面視で略Ｃ字状を有する保持具本体２１を備えており、この保持具本体２１は、略Ｃ字状を確定する端部２２Ａ及び２２Ｂと、端部２２Ａ及び２２Ｂに連続して形成され且つ端部２２Ａと端部２２Ｂとの間に位置し、端部２２Ａ及び２２Ｂと共に略Ｃ字状を確定する中央部１３を備えている。この長尺体保持具２は、外部から所定の力が加えられることにより、端部２２Ａ及び２２Ｂが初期状態（図１５及び図１６参照）から互いに近づく方向に弾性変形可能（図１７及び図１８参照）であり、これによって中央部１３も弾性変形する。そしてまた、長尺体保持具２は、前記外部からの力から解放された際に弾性復元して初期状態に戻る。
【００４４】
端部２２Ａ及び２２Ｂの各々の先端には、互いに離れる方向に延出した係合爪２４Ａ及び２４Ｂが各々形成されている。これらの端部２２Ａ及び２２Ｂは、互いに近づく方向に弾性変形することで、シャーシ１００に形成された係合穴１０１Ａ及び１０１Ｂに各々挿入され（図１８参照）、係合穴１０１Ａ及び１０１Ｂに挿入された際に弾性復元して、係合爪２４Ａ及び２４Ｂがシャーシ１００の裏面１０５に係合することで、長尺体保持具２がシャーシ１００に取付けられる。
【００４５】
係合爪２４Ａ及び２４Ｂは、シャーシ１００の裏面１０５と対向する面が裏面１０５に当接することで係合するため、長尺体保持具２をシャーシ１００に確実に固定することができる。このため、シャーシ１００の裏面１０５側に突出する係合爪２４Ａ及び２４Ｂが小型で簡素な形状を有しており、シャーシ１００の裏面１０５から突出する部分が小さくても（シャーシ１００の裏面１０５から突出量が少なくても）長尺体保持具２をシャーシ１００に確実に固定することができる。したがって、例えば、シャーシ１００が、各種機器のハウジング内に配設されている場合は、ハウジングの内壁面とシャーシ１００の裏面１０５との間に、係合爪２４Ａ及び２４Ｂが位置するためのスペースを小さくすることができ、各種機器の小型化に貢献することができる。さらにまた、係合爪２４Ａ及び２４Ｂは、長尺体保持具２がシャーシ１００に取付けられた際に、係合穴１０１Ａ及び１０１Ｂに各々挿入された端部２２Ａ及び２２Ｂと、係合穴１０１Ａ及び１０１Ｂを確定するシャーシ１００の壁面１０８Ａ及び１０８Ｂとが形成する隙間を閉鎖することができるため、係合穴１０１Ａ及び１０１Ｂから埃等が侵入することを防止できることは勿論のこと、光が漏れることも防止することができる。
【００４６】
なお、この長尺体保持具２が非常に小型であっても、図１７に示すような治具４００を用いて長尺体保持具２をシャーシ１００に取付けることができるため、取付作業を簡単に行うことができる。この治具４００は、図１７に示すように、長尺体保持具２が初期状態の際に、長尺体保持具２の内側に形成された空間に挿入され、長尺体保持具２を支持する支持部４０１と、支持部４０１の先端にいくにしたがって、長尺体保持具２の端部２２Ａ及び２２Ｂを互いに近づく方向に弾性変形させるように、端部２２Ａ及び２２Ｂを押圧する押圧部４０２Ａ及び４０２Ｂを備えている。押圧部４０２Ａ及び４０２Ｂの基端は、支持部４０１の基端に連結されており、先端にいくにしたがって、互いに近づく方向に延出している。治具４００に長尺体保持具２を装着した際に、長尺体保持具２形成された凸部１０７と対向する支持部４０１の面には、実施の形態１と同様に、凹部３０７が形成されている。
【００４７】
ここで、支持部４０１は、長尺体保持具２を支持し、凹部３０７によって長尺体保持具２の移動をガイドする役割を果たすものであるため、治具４００に長尺体保持具２を装着した際に、長尺体保持具２の端部２２Ａ及び２２Ｂの先端との間に配線２００を収容可能な空間を形成することができるサイズで構成することができる。（図１７参照）。したがって、治具３００のように凹部３０３を形成する必要がない。
【００４８】
この治具４００を用いて長尺体保持具２をシャーシ１００に取付けるには、先ず、長尺体保持具２の内側に形成された空間に、支持部４０１を挿入すると共に、長尺体保持具２の端部２２Ａ及び２２Ｂを、支持部４０１と、押圧部４０２Ａ及び４０２Ｂとの間に各々形成された空間に挿入する。この状態で長尺体保持具２を治具４００の先端側に向けて移動させると、端部２２Ａ及び２２Ｂが互いに近づく方向に弾性変形する（図１７参照）ため、端部２２Ａ及び２２Ｂの先端は、シャーシ１００に形成された係合穴１０１Ａ及び１０１Ｂ上に位置することになる。この長尺体保持具２の移動は、実施の形態１と同様に長尺体保持具２の凸部１０７が凹部３０７にガイドされた状態で行われるため、長尺体保持具２が非常に小型であっても、長尺体保持具２を簡単に移動させることができる。また、この時、支持部４０１と、シャーシ１００の上面１０２とにより確定される空間に、長尺体保持具２に保持されるべき配線２００を位置させる。
【００４９】
次に、この状態で、長尺体保持具２から治具３００を抜脱しながら、長尺体保持具２をシャーシ１００の上面１０２に押圧すると、長尺体保持具２の端部２２Ａ及び２２Ｂが、係合穴１０１Ａ及び１０１Ｂに各々簡単に挿入され、その後、弾性復元し、端部２２Ａ及び２２Ｂに各々形成されている係合爪２４Ａ及び２４Ｂが、シャーシ１００の裏面１０５に係合すると共に、配線２００が、シャーシ１００の上面１０２との間に形成される空間１０３に保持される。（図１８参照）。また、この時、係合穴１０１Ａ及び１０１Ｂは、係合爪２４Ａ及び２４Ｂにより、シャーシ１００の裏面１０５側からを塞がれる。
【００５０】
なお、長尺体保持具２の構成の場合、図１８に示すように、配線２００を保持した状態でシャーシ１００に取付けられた際に、凸部１０７が配線２００に当接する、あるいは中央部１３の内壁が配線２００に当接するように端部２２Ａ及び２２Ｂの長さを設計することで、長尺体保持具２は、配線２００を介して、凸部１０７と、係合爪２４Ａ及び２４Ｂとでシャーシ１００を挟持することになるため、シャーシ１００にさらに確実に固定されることになる。
【００５１】
また、実施の形態１及び２では、長尺体保持具１及び２に凸部１０７を形成し、治具３００及び４００に凹部３０７を形成した場合について説明したが、これに限らず、長尺体保持具１及び２に凹部３０７を形成し、治具３００及び４００に凸部１０７を形成してもよい。
【００５２】
そしてまた、実施の形態１及び２では、治具３００及び４００を用いて長尺体保持具１及び２をシャーシ１００に取付けた場合について説明したが、これに限らず、長尺体保持具１及び２は素手でシャーシ１００に取付けてもよいことは勿論である。なお、この場合は、凸部１０７を形成する必要はない。
【図面の簡単な説明】
【００５３】
【図１】本発明の実施の形態１にかかる長尺体保持具の斜視図である。
【図２】図１に示す長尺体保持具の正面図であって、長尺体保持具が弾性変形していない状態（初期状態）を示す図である。
【図３】図１に示す長尺体保持具の平面図である。
【図４】図１に示す長尺体保持具の底面図である。
【図５】図１に示す長尺体保持具の側面図である。
【図６】図１に示す長尺体保持具の正面図であって、長尺体保持具が弾性変形した状態を示す図である。
【図７】治具に図１に示す長尺体保持具を装着した状態を示す斜視図である。
【図８】図７に示すVIII−VIII線に沿った断面図である。
【図９】図１に示す長尺体保持具が、治具の先端に移動した状態を示す断面図である。
【図１０】治具を用いて、図１に示す長尺体保持具をシャーシに取付ける状態を示す断面図である。
【図１１】図１に示す長尺体保持具に配線を保持させてシャーシに取付けた状態を示す断面図である。
【図１２】本発明の他の実施の形態にかかる長尺体保持具をシャーシに取付ける状態を示す断面図である。
【図１３】本発明の他の実施の形態にかかる長尺体保持具をシャーシに取付ける状態を示す断面図である。
【図１４】図１２に示す長尺体保持具に配線を保持させてシャーシに取付けた状態を示す断面図である。
【図１５】本発明の実施の形態２にかかる長尺体保持具の正面図である。
【図１６】図１５に示す長尺体保持具と、この長尺体保持具が取付けられるシャーシとの関係を示す断面図である。
【図１７】治具を用いて、図１５に示す長尺体保持具をシャーシに取付ける状態を示す断面図である。
【図１８】図１５に示す長尺体保持具に配線を保持させてシャーシに取付けた状態を示す断面図である。
【符号の説明】
【００５４】
１、２    長尺体保持具
１１、２１    保持具本体
１２Ａ、１２Ｂ、２２Ａ、２２Ｂ    端部
１３    中央部
１４Ａ、１４Ｂ、２４Ａ、２４Ｂ    係合爪
１６Ａ、１６Ｂ    閉鎖部
１００    シャーシ
１０１Ａ、１０１Ｂ    係合穴
１０７    凸部
２００    配線
３００、４００    治具
３０７    凹部
【図１】
2009133355.tif 000003
【図２】
2009133355.tif 000004
【図３】
2009133355.tif 000005
【図４】
2009133355.tif 000006
【図５】
2009133355.tif 000007
【図６】
2009133355.tif 000008
【図７】
2009133355.tif 000009
【図８】
2009133355.tif 000010
【図９】
2009133355.tif 000011
【図１０】
2009133355.tif 000012
【図１１】
2009133355.tif 000013
【図１２】
2009133355.tif 000014
【図１３】
2009133355.tif 000015
【図１４】
2009133355.tif 000016
【図１５】
2009133355.tif 000017
【図１６】
2009133355.tif 000018
【図１７】
2009133355.tif 000019
【図１８】
2009133355.tif 000020